(57)【特許請求の範囲】
【請求項１】
複数の基地局から、通信品質に応じて、通信する基地局を選択する機能を備えた端末を管理する管理サーバにおける通信管理方法であって、
第１の基地局と通信している端末から、当該端末が通信の可能な基地局に関する基地局情報を取得する取得ステップと、
前記基地局情報に基づいて、前記第１の基地局の無線通信が停止する際に、前記第１の基地局と通信している前記端末が通信先として選択する複数の他の前記基地局について、当該他の基地局が通信する端末数を推定する推定ステップと、
前記他の基地局における前記端末数に基づいて、複数の前記他の基地局の中で、前記第１の基地局と通信している前記端末の次の通信先となる第２の基地局を特定する特定ステップと、
前記第２の基地局と通信を行うことが推定される端末に対して、前記第２の基地局の前記端末数と、複数の前記他の基地局の中で、前記第２の基地局以外の他の基地局における前記端末数との差に応じて、前記第２の基地局以外の第３の基地局へ通信先を変更させる指示を通知する変更指示ステップとを備えることを特徴とする通信管理方法。
【請求項２】
前記特定ステップにおいて、前記他の基地局における前記端末数に基づいて、複数の前記他の基地局の中で、前記端末数が最も多い第２の基地局を特定し、
前記指示ステップにおいて、前記第２の基地局と通信を行うことが推定される端末に対して、前記第２の基地局よりも前記端末数が少ない第３の基地局へ通信先を変更させる指示を通知することを特徴とする請求項１に記載の通信管理方法。
【請求項３】
前記特定ステップにおいて、前記他の基地局における前記端末数に関する基準値を定め、前記基準値以上である場合、前記他の基地局の中で、前記端末数が最も多い第２の基地局を特定することを特徴とする請求項２に記載の通信管理方法。
【請求項４】
前記第３の基地局は、前記他の基地局の中で、最も通信する端末数が少ないことを特徴とする請求項１乃至３のいずれかに記載の通信管理方法。
【請求項５】
前記取得ステップにおいて、無線通信を停止する前記第１の基地局と通信している一つ又は複数の前記端末のＩＰアドレスを取得し、前記ＩＰアドレスが示す前記端末から、前記端末が通信の可能な基地局に関する基地局情報を取得することを特徴とする請求項１乃至４のいずれかに記載の通信管理方法。
【請求項６】
前記変更指示ステップにおいて、前記第２の基地局と通信を行うことが推定される端末に対して、前記第３の基地局へ通信先を変更させる所定の期間を更に通知し、
前記端末が、前記指示の通知を受けてから前記所定の期間経過後、前記第１の基地局へ通信先を変更する変更ステップを更に備えることを特徴とする請求項１乃至５のいずれかに記載の通信管理方法。
【請求項７】
複数の基地局から、通信品質に応じて、通信する基地局を選択する機能を備えた端末を管理する管理サーバであって、
第１の基地局と通信している一つ又は複数の端末から、当該端末が通信の可能な基地局に関する基地局情報を取得する取得部と、
前記基地局情報に基づいて、前記第１の基地局の無線通信が停止する際に、前記第１の基地局と通信している前記端末が通信先として選択する他の基地局について、当該他の基地局が通信する端末数を推定する推定部と、
前記他の基地局における前記端末数に基づいて、複数の前記他の基地局の中で、前記端末数が最も多い第２の基地局を特定する特定部と、
前記第２の基地局と通信を行うことが推定される端末に対して、前記第２の基地局よりも前記端末数が少ない第３の基地局へ通信先を変更させる指示を通知する変更指示部とを備えることを特徴とする管理サーバ。
【発明の詳細な説明】
【技術分野】
【０００１】
本発明は、複数の基地局から、通信品質に応じて、通信する基地局を選択する機能を備えた端末を管理する通信管理方法及び管理サーバに関する。
【背景技術】
【０００２】
近年、無線通信技術の進歩に伴い、携帯電話やＰＨＳに加え、ＷｉＭＡＸ、ｉＢｕｒｓｔ（登録商標）等、様々な無線通信システムが提案されている（例えば、非特許文献１参照）。
【０００３】
図１１には、上述した無線通信システムの一例が示されている。図１１に示すように、無線通信システム１は、端末１０ａ乃至１０ｃと、当該端末１０ａ乃至１０ｃとの間で無線通信する基地局２１乃至２４と、各端末１０ａ乃至１０ｃとネットワーク２との通信制御を行うアクセスサーバ３０と、無線通信システム１内の各機能を管理する管理サーバ４０とを備えている。
【０００４】
また、一般的に、上述した無線通信システム１では、図１１に示すように、隣り合う基地局２１乃至２４の無線範囲Ｃ１乃至Ｃ４が、重複するように配置されており、移動する端末１０ａ乃至１０ｃに対して、連続的に、安定した通信サービスを提供するように構成されている。
【０００５】
また、かかる無線通信システム１において、端末１０ａ乃至１０ｃは、重複した無線範囲Ｃ１乃至Ｃ４に存在する場合、複数の基地局２１乃至２４から送信される各無線信号の通信品質を測定し、最も通信品質の良好な基地局を選択して通信する機能を有しており、常に、基地局との間で安定した通信を行うように構成されている。なお、図１１の例には、端末１０ａ乃至１０ｃが、基地局２１を選択し、無線通信するイメージが示されている。
【非特許文献１】“連載１ ｉＢｕｒｓｔ”，日経コミュニケーション，日経ＢＰ社，２００５年１１月１日，第４４９号，ｐ．１１４−１１９
【発明の開示】
【発明が解決しようとする課題】
【０００６】
ここで、かかる無線通信システム１では、ソフトウエアのバージョンアップ、又はハードウエアのオーバーホール等を行うため、基地局２１乃至２４における無線通信を、一時的に停止する場合がある。
【０００７】
図１２には、基地局２１を一時的に停止する場合のイメージが示されている。かかる場合、無線通信を停止した基地局２１と通信を行っていた端末１０ａ乃至１０ｃの多くが、最も受信品質が良好な基地局として、例えば、基地局２２を選択する場合があり、その結果、基地局２２の処理負荷が急増するという問題があった。
【０００８】
そこで、本発明は、このような状況に鑑みてなされたものであり、基地局を一時的に停止する場合、当該基地局と無線範囲が隣接する他の基地局の中で、特定の基地局の処理負荷が急増することを低減する通信管理方法及び管理サーバを提供することを目的とする。
【課題を解決するための手段】
【０００９】
上述した問題を解決するため、本発明は、次のような特徴を有している。まず、本発明の第１の特徴は、複数の基地局から、通信品質に応じて、通信する基地局を選択する機能を備えた端末を管理する管理サーバにおける通信管理方法であって、第１の基地局と通信している端末から、当該端末が通信の可能な基地局に関する基地局情報を取得する取得ステップと、前記基地局情報に基づいて、前記第１の基地局の無線通信が停止する際に、前記第１の基地局と通信している前記端末が通信先として選択する複数の他の前記基地局について、当該他の基地局が通信する端末数を推定する推定ステップと、前記他の基地局における前記端末数に基づいて、複数の前記他の基地局の中で、前記第１の基地局と通信している前記端末の次の通信先となる第２の基地局を特定する特定ステップと、前記第２の基地局と通信を行うことが推定される端末に対して、前記第２の基地局の前記端末数と、複数の前記他の基地局の中で、前記第２の基地局以外の他の基地局における前記端末数との差に応じて、前記第２の基地局以外の第３の基地局へ通信先を変更させる指示を通知する変更指示ステップとを備えることを要旨とする。
【００１０】
かかる発明によれば、第１の基地局の無線通信を停止する際に、第１の基地局と通信している一つ又は複数の端末によって選択される他の基地局が通信する端末の端末数を推定する。また、推定した端末数に基づいて、当該端末が次に通信する第２の基地局を特定すると共に、当該第２の基地局と通信する端末に対して、第３の基地局へ通信先を変更させる。従って、第１の基地局を一時的に停止する場合、当該基地局と無線範囲が隣接する他の基地局の中で、第２の基地局（特定の基地局）の処理負荷が急増することを低減することができる。
【００１１】
本発明の第２の特徴は、前記特定ステップにおいて、前記他の基地局における前記端末数に基づいて、複数の前記他の基地局の中で、前記端末数が最も多い第２の基地局を特定し、前記指示ステップにおいて、前記第２の基地局と通信を行うことが推定される端末に対して、前記第２の基地局よりも前記端末数が少ない第３の基地局へ通信先を変更させる指示を通知することを要旨とする。かかる発明によれば、推定した端末数に基づいて、端末数の最も多い第２の基地局を特定すると共に、当該第２の基地局と通信する端末に対して、第２の基地局よりも端末数が少なくなることが推定される第３の基地局へ通信先を変更させる。従って、第１の基地局を一時的に停止する場合、当該基地局と無線範囲が隣接する他の基地局の中で、第２の基地局（特定の基地局）の処理負荷が急増することを低減することができる。
【００１２】
本発明の第３の特徴は、本発明の第１又は２のいずれかの特徴に係り、前記特定ステップにおいて、前記他の基地局における前記端末数に関する基準値を定め、前記基準値以上である場合、前記他の基地局の中で、前記端末数が最も多い第２の基地局を特定することを要旨とするものである。かかる発明によれば、例えば、前記基準値を、推定した他の基地局における端末数の標準偏差とし、当該標準偏差が、所定の値以上である場合、つまり、端末数が所定の値未満の場合には第２の基地局を特定せず、基準値以上のばらつきが生じた場合のみ、第２の基地局と通信することが推定される端末の通信先を第３の基地局へ変更し、第２の基地局の処理負荷が急増することを低減することができる。
【００１３】
本発明の第４の特徴は、本発明の第１又は３のいずれかの特徴に係り、前記第３の基地局は、前記他の基地局の中で、最も通信する端末数が少ないことを要旨とするものである。かかる発明によれば、第２の基地局と通信することが推定される端末に対して、最も端末数が少ない第３の基地局に通信先を変更させる。従って、効率よく他の基地局における端末数の差を低減できると共に、第２の基地局（特定の基地局）の処理負荷が急増することを低減することができる。
【００１４】
本発明の第５の特徴は、本発明の第１乃至４のいずれかの特徴に係り、前記取得ステップにおいて、無線通信を停止する前記第１の基地局と通信している一つ又は複数の前記端末のＩＰアドレスを取得し、前記ＩＰアドレスが示す前記端末から、前記端末が通信の可能な基地局に関する基地局情報を取得することを要旨とするものである。
【００１５】
本発明の第６の特徴は、本発明の第１乃至５のいずれかの特徴に係り、前記変更指示ステップにおいて、前記第２の基地局と通信を行うことが推定される端末に対して、前記第３の基地局へ通信先を変更させる所定の期間を更に通知し、前記端末が、前記指示の通知を受けてから前記所定の期間経過後、前記第１の基地局へ通信先を変更する変更ステップを更に備えることを要旨とするものである。かかる発明によれば、端末は、第１の基地局が停止する所定の期間経過後、第１の基地局へ通信先を変更する。従って、端末は、所定の期間が経過後、変更前に通信していた通信品質の最も良好な第１の基地局と通信することが出来る。
【００１６】
本発明の第７の特徴は、複数の基地局から、通信品質に応じて、通信する基地局を選択する機能を備えた端末を管理する管理サーバであって、第１の基地局と通信している一つ又は複数の端末から、当該端末が通信の可能な基地局に関する基地局情報を取得する取得部と、前記基地局情報に基づいて、前記第１の基地局の無線通信が停止する際に、前記第１の基地局と通信している前記端末が通信先として選択する他の基地局について、当該他の基地局が通信する端末数を推定する推定部と、前記他の基地局における前記端末数に基づいて、複数の前記他の基地局の中で、前記端末数が最も多い第２の基地局を特定する特定部と、前記第２の基地局と通信を行うことが推定される端末に対して、前記第２の基地局よりも前記端末数が少ない第３の基地局へ通信先を変更させる指示を通知する変更指示部とを備えることを要旨とする。
【発明の効果】
【００１７】
本発明の特徴によれば、基地局を一時的に停止する場合、当該基地局と無線範囲が隣接する他の基地局の中で、特定の基地局の処理負荷が急増することを低減する通信管理方法及び管理サーバを提供することができる。
【発明を実施するための最良の形態】
【００１８】
次に、本発明の実施形態に係る無線通信システムついて説明する。なお、以下の図面の記載において、同一または類似の部分には、同一または類似の符号を付している。ただし、図面は模式的なものであることに留意すべきである。
【００１９】
（無線通信システム１の全体概略構成）
図１の概略図に示すように、本実施形態に係る無線通信システム１は、複数の端末１０ａ乃至１０ｃと、基地局２１乃至２４と、ネットワーク２と、アクセスサーバ３０と、管理サーバ４０とを具備する。
なお、無線通信システム１を構成する基地局２１乃至２４及び端末１０ａ乃至１０ｃの数は、図１に示した数に限定されるものではない。
【００２０】
また、本実施形態に係る無線通信システム１は、時間分割多重（ＴＤＭＡ／ＴＤＤ）方式及び空間多重等の無線通信技術を適用し、端末１０ａ乃至１０ｃに対して、ＩＰ（インターネット・プロトコル）をベースとした通信を提供するｉ−Ｂｕｒｓｔ（登録商標）システムである場合を例に説明する。
【００２１】
ここで、図１には、管理サーバ４０が、基地局２１における無線通信機能を停止させ、基地局２１のソフトウエアのバージョンアップを行っている状況が示されている。この時、端末１０ａ乃至１０ｃは、図１２に示す従来技術に係る無線通信システム１のように、基地局２２に通信先を集中していない。これは、本実施形態に係る無線通信システム１の各種機能によって成されるものである。以下に、図１に示すように、基地局２１が、無線通信の機能を停止する場合を例に挙げ、本実施形態に係る無線通信システム１において、基地局２１の停止前に実施される各種機能について説明する。
【００２２】
また、本実施形態に係る基地局２１乃至２４は、ネットワーク２と接続すると共に、無線信号の送信範囲である無線範囲Ｃ１乃至Ｃ４を形成し、当該無線範囲Ｃ１乃至Ｃ４内に存在する端末１０ａ乃至１０ｃとの間で無線通信する。また、基地局２１乃至２４は、ネットワーク２を介して、管理サーバ４０から送信された端末数要求情報を受信すると、当該管理サーバ４０に対して、自機器が通信している端末数を含む端末数応答情報を送信する。
【００２３】
アクセスサーバ３０は、ネットワーク２と接続し、当該ネットワーク２を介して、基地局２１乃至２４と、管理サーバ４０との間で通信すると共に、ネットワーク２及び基地局２１乃至２４を介して、端末１０ａ乃至１０ｃとの間で通信する。また、本実施形態において、アクセスサーバ３０は、パケットデータ交換装置であるＰＤＳＮ（Ｐａｃｋｅｔ  Ｄａｔａ  Ｓｅｒｖｉｎｇ  Ｎｏｄｅ）を想定している。
【００２４】
また、かかるアクセスサーバ３０は、端末１０ａ乃至１０ｃとネットワーク２との間におけるセッションを管理しており、図２に示すセッションテーブルＴ１を具備している。そして、アクセスサーバ３０は、端末１０ａ乃至１０ｃから送信された、セッションの確立を要求するセッション要求情報を受信した場合、送信元の端末１０ａ乃至１０ｃにＩＰアドレスを割り当てると共に、当該送信元の端末１０ａ乃至１０ｃを識別する端末ＩＤと、当該端末に割り当てたＩＰアドレスと、当該端末と無線通信している基地局２１乃至２４を識別する基地局ＩＤと、当該基地局２１乃至２４に割り当てられているＩＰアドレスとを関連付けて、上述したセッションテーブルＴ１へ記憶する。
【００２５】
また、本実施形態において、基地局２１乃至２４を識別する基地局ＩＤを、それぞれＢ２１乃至Ｂ２４とし、端末１０ａ乃至１０ｃを識別する端末ＩＤをＵＥ１０ａ乃至１０ｃとして説明する。また、アクセスサーバ３０は、ネットワーク２を介して、管理サーバから送信された端末アドレス要求情報を受信する。ここで、端末アドレス要求情報とは、特定の基地局が通信している全ての端末に割り当てられているＩＰアドレスを、通知するように要求する情報であり、当該端末アドレス要求情報には、特定の基地局を識別する基地局ＩＤが含まれている。
【００２６】
また、アクセスサーバ３０は、端末アドレス要求情報を受信した場合、当該端末アドレス要求情報に含まれる基地局ＩＤに基づいて、当該基地局ＩＤに対応する基地局が通信している全ての端末に割り当てられているＩＰアドレスを特定すると共に、特定したＩＰアドレスを含む端末アドレス応答情報を生成し、管理サーバ４０へ送信する。
【００２７】
また、本実施形態において、端末１０ａ乃至１０ｃは、携帯電話機や、ＰＤＡ（Ｐｅｒｓｏｎａｌ Ｄｅｇｉｔａｌ Ａｓｓｉｓｔａｎｔ）や、ノート型コンピュータなどのモバイル機器を想定している。また、本実施形態に係る端末１０ａ乃至１０ｃは、図３（ａ）乃至（ｃ）に示す最適基地局リストＴ２（Ｃａｎｄｉｄａｔｅ  Ｌｉｓｔ）を備えている。
【００２８】
また、端末１０ａ乃至１０ｃは、基地局２１乃至２４の無線範囲Ｃ１乃至Ｃ４内に送信される無線信号を受信すると共に、例えば、ＲＳＳＩ（Ｒｅｃｅｉｖｅｄ Ｓｉｇｎａｌ  Ｓｔｒｅｎｇｔｈ Ｉｎｄｉｃａｔｏｒ）等の受信レベルを通信品質として測定し、当該測定結果に基づいて、当該最適基地局リストへ、通信可能な基地局の基地局ＩＤを、通信品質の良好な順に記憶する。そして、かかる端末１０ａ乃至１０ｃは、複数の基地局の中から、最適基地局リストＴ２に記憶した基地局ＩＤに基づいて、自端末において通信品質の最も良好な基地局２１乃至２４を選択して通信する。
【００２９】
ここで、本実施形態では、端末１０ａが、図３（ａ）に示す最適基地局リストＴ２を備え、端末１０ｂが、図３（ｂ）に示す最適基地局リストＴ２を備え、端末１０ｃが、図３（ｃ）に示す最適基地局リストＴ２を備える場合を例に挙げて説明する。従って、端末１０ａ乃至１０ｃは、最適基地局リストＴ２において、通信品質の最も良好な基地局ＩＤとして記憶している基地局２１を通信先として、当該基地局２１及びネットワーク２を介して、アクセスサーバ３０へ、セッション要求情報を送信する。ここで、従来技術であれば、当該基地局２１の無線通信を停止する場合、端末１０ａ乃至１０ｃは、図３（ａ）乃至（ｃ）に示す最適基地局リストＴ２に基づいて通信先を変更するので、２番目に通信品質の良好な基地局ＩＤとして記憶している基地局２２を通信先として選択する。
【００３０】
また、端末１０ａ乃至１０ｂは、基地局２１乃至２４及びネットワーク２を介して、管理サーバ４０から送信されたリスト要求情報を受信した場合、リスト応答情報（基地局情報）を生成し、当該基地局２１及びネットワーク２を介して、当該リスト応答情報を管理サーバ４０へ送信する。ここで、リスト要求情報とは、端末１０ａ乃至１０ｃに対して、当該端末１０ａ乃至１０ｃが記憶している最適基地局リストＴ２を送信するように要求する情報である。また、リスト応答情報とは、自機器の最適基地局リストＴ２に記憶している基地局ＩＤと、当該基地局ＩＤの順番とを含む情報である。
【００３１】
また、端末１０ａ乃至１０ｂは、基地局２１乃至２４から送信されたリスト変更指示情報を受信した場合、最適基地局リストＴ２に記憶する基地局ＩＤを、当該リスト変更指示情報に含まれる基地局ＩＤ（第３の基地局）のみに変更する。ここで、リスト変更指示情報とは、最適基地局リストＴ２に記憶する基地局ＩＤを、変更するように指示する情報である。また、当該リスト変更指示情報には、変更する基地局ＩＤと、所定の期間Δｔ（例えば１時間）を示す情報とが含まれており、後述する管理サーバ４０から送信される。
【００３２】
また、端末１０ａ乃至１０ｂは、自局の通信先を、リスト変更指示情報に含まれる基地局ＩＤに対応する基地局（第３の基地局）に変更する際、変更前に通信していた基地局（第１の基地局）の基地局ＩＤを記憶する。そして、端末１０ａ乃至１０ｂは、リスト変更指示情報を受信してから、上述した所定の期間Δｔが経過後、記憶していた基地局ＩＤに基づいて、変更前に通信していた基地局（第１の基地局）へ通信先を変更する。
【００３３】
なお、端末１０ａ乃至１０ｂは、かかる所定の期間Δｔが経過後、無線信号の受信レベルを再度測定し、当該測定結果に基づいて、当該最適基地局リストＴ２へ、通信品質の良好な順に、通信可能な基地局の基地局ＩＤを記憶すると共に、最も通信品質の良好な基地局との間で通信を行ってもよい。また、かかる無線通信システム１には、多数の端末が存在するが、本実施形態では、端末１０ａ乃至１０ｃの３台に着目し、かかる無線通信システム１の各種機能について説明する。
【００３４】
管理サーバ４０は、ネットワーク２と接続し、当該ネットワーク２を介して、基地局２１乃至２４と、アクセスサーバ３０との間で通信すると共に、ネットワーク２及び基地局２１乃至２４を介して、端末１０ａ乃至１０ｃとの間で通信する。また、本実施形態において、管理サーバ４０は、無線通信システム１のネットワーク構成を管理するＥＭＳ（Ｅｌｅｍｅｎｔ  Ｍａｎａｇｅｍｅｎｔ  Ｓｙｓｔｅｍ）を想定している。また、本実施形態に係る管理サーバ４０は、基地局２１乃至２４におけるソフトウエアのバージョンアップを行う機能を有している。
【００３５】
（管理サーバの機能ブロック構成）
次に、本実施形態に係る管理サーバ４０の構成について詳細に説明する。本実施形態に係る管理サーバ４０は、図４のブロック構成図に示すように、通信部４０１と、取得最適基地局テーブル記憶部４０２と、基地局テーブル記憶部４０３と、最適基地局変更テーブル記憶部４０４と、制御部４０５と、端末情報取得部４０６と、端末数推定部４０７と、基地局特定部４０８と、端末特定部４０９と、リスト変更指示部４１０とを備える。
【００３６】
また、以下、本発明との関連がある部分について主に説明する。したがって、管理サーバ４０は、管理サーバ４０としての機能を実現する上で必須な、図示しない或いは説明を省略した機能ブロック（電源部など）を備える場合があることに留意されたい。
【００３７】
通信部４０１は、ネットワーク２と接続し、当該ネットワーク２を介して、アクセスサーバ３０及び基地局２１乃至２４との間で通信する。また、通信部４０１は、端末情報取得部４０６の制御により、ネットワーク２を介して、端末数要求情報を基地局２１乃至２４へ送信する。また、通信部４０１は、ネットワーク２から、基地局２１乃至２４において、それぞれの基地局２１乃至２４が通信している端末の端末数を含む端末数応答情報を受信する。また、通信部４０１は、端末情報取得部４０６の制御により、ネットワーク２を介して、アクセスサーバ３０へ端末アドレス要求情報を送信する。
【００３８】
また、通信部４０１は、ネットワーク２を介して、アクセスサーバ３０から送信された端末アドレス応答情報を受信する。また、通信部４０１は、ネットワーク２及び基地局２１乃至２４を介して、端末１０ａ乃至１０ｃへ、リスト要求情報を送信する。
また、通信部４０１は、ネットワーク２及び基地局２１乃至２４を介して、端末１０ａ乃至１０ｃから送信されたリスト応答情報を受信する。
【００３９】
取得最適基地局テーブル記憶部４０２は、図５に示す取得最適基地局テーブルＴ３を備えている。かかる取得最適基地局テーブルＴ３は、端末ＩＤと、当該端末ＩＤに対応する端末１０ａ乃至１０ｃに割り当てられているＩＰアドレスと、当該端末１０ａ乃至１０ｃの最適基地局リストＴ２に記憶されている基地局ＩＤとを関連付けて記憶する。
【００４０】
基地局テーブル記憶部４０３は、図６に示す基地局テーブルＴ４を備えている。かかる基地局テーブルＴ４には、基地局ＩＤと、基地局ＩＤに対応する基地局が、現在通信している端末の端末数を示す通信端末数と、推定端末数と、推定合計端末数とを関連付けて記憶する。ここで、推定端末数とは、例えば、基地局２１が停止した場合に、他の基地局２２乃至２４へ通信先を変更することが推定される端末数である。また、推定合計端末数は、通信端末数と、推定端末数との合計数である。
【００４１】
最適基地局変更テーブル記憶部４０４は、図７に示す最適基地局変更テーブルＴ５を備えている。かかる最適基地局変更テーブルＴ５は、端末ＩＤと、端末ＩＤに対応する端末に割り当てられているＩＰアドレスと、基地局ＩＤとを関連付けて記憶する。
【００４２】
制御部４０５は、管理サーバ４０内の各種機能を制御する。また、制御部４０５は、所定の周期で、通信部４０１及びネットワーク２を介して、基地局２１乃至２４へ端末数要求情報を送信する。また、制御部４０５は、通信部４０１において、端末数応答情報が受信されると、当該端末数応答情報を送信した基地局の基地局ＩＤと、端末数応答情報に含まれる端末数とを関連付けて、基地局テーブルＴ４に記憶する。
【００４３】
端末情報取得部４０６は、無線通信を停止する基地局２１（第１の基地局）と通信している一つ又は複数の端末１０ａ乃至１０ｃのＩＰアドレスを取得し、当該ＩＰアドレスが示す端末１０ａ乃至１０ｃから、通信の可能な基地局を識別する基地局ＩＤを、一つ又は複数含む最適基地局リスト（基地局リスト）を取得する。具体的に、端末情報取得部４０６は、無線通信を停止する基地局の基地局ＩＤが通知された場合、当該基地局ＩＤを含む端末アドレス要求情報を、通信部４０１及びネットワーク２を介して、アクセスサーバ３０へ送信する。また、端末情報取得部４０６は、通信部４０１において、端末アドレス応答情報を受信した場合、当該端末アドレス応答情報に含まれるＩＰアドレスに基づいて、当該ＩＰアドレスに示される端末に対してリスト要求情報を送信する。
【００４４】
また、端末情報取得部４０６は、通信部４０１において、リスト応答情報（基地局情報）を受信した場合、当該リスト応答情報を送信した端末の端末ＩＤと、当該端末のＩＰアドレスと、当該リスト応答情報に含まれる最適基地局リストＴ２の基地局ＩＤとを関連付けて取得最適基地局テーブルＴ３に記憶する。ここで、端末情報取得部４０６は、最適基地局リストＴ２の基地局ＩＤを、リスト応答情報に含まれる基地局ＩＤの順番に関する情報に基づいて記憶する。つまり、端末１０ａ乃至１０ｃの最適基地局リストＴ２に記憶されている順番と同様に記憶する。
【００４５】
また、端末情報取得部４０６は、取得最適基地局テーブルＴ３への記憶が完了すると、端末数推定部４０７へ、記憶が完了したことを通知する。
【００４６】
端末数推定部４０７は、基地局情報に基づいて、例えば、基地局２１（第１の基地局）の無線通信が停止する場合に、基地局２１（第１の基地局）と通信している端末１０ａ乃至１０ｃがそれぞれ通信先として選択する基地局２２乃至２４毎（他の基地局毎）に、当該基地局２２乃至２４（他の基地局）が通信する端末の端末数を推定する。具体的に、端末数推定部４０７は、端末情報取得部４０６からの通知を受けると、取得最適基地局テーブルＴ３を参照し、当該取得最適基地局テーブルＴ３において、通信品質の良好な順が２番目の基地局ＩＤの数を、基地局ＩＤ毎にカウントする。そして、端末数推定部４０７は、カウントした基地局ＩＤの数を推定端末数とし、基地局ＩＤと、当該基地局ＩＤ毎の推定端末数と、通信端末数と推定端末数との合計である推定合計端末数とを関連付けて基地局テーブルＴ４に記憶する。
【００４７】
また、端末数推定部４０７は、基地局テーブルＴ４への記憶が完了すると、基地局特定部４０８へ、記憶が完了したことを通知する。また、端末数推定部４０７は、後述する端末特定部４０９からの通知を受けた場合も、上述した処理を行う。
【００４８】
基地局特定部４０８は、端末数推定部４０７からの通知を受けると、基地局２２乃至２４（他の基地局）における端末数が所定の条件を満たす場合、基地局２２乃至２４（他の基地局）の中で、端末数が最も多い第２の基地局を特定する。具体的に、基地局特定部４０８は、基地局テーブルＴ４を参照し、基地局２２乃至２４（他の基地局）における推定合計端末数の基準値として標準偏差を算出し、算出した標準偏差が所定の値以上である場合、基地局２２乃至２４（他の基地局）の中で、推定合計端末数が最も多い第２の基地局の基地局ＩＤを特定する。続いて、基地局特定部４０８は、基地局テーブルＴ４を参照し、基地局２２乃至２４（他の基地局）の中で、推定合計端末数が最も少ない第３の基地局の基地局ＩＤを特定する。
【００４９】
ここで、本実施形態では、推定合計端末数が最も多い第２の基地局として、基地局２２の基地局ＩＤ（Ｂ２２）が特定され、最も少ない第３の基地局として、基地局２４の基地局ＩＤ（Ｂ２４）が特定される場合を例に説明する。また、本実施形態では、標準偏差の所定の値が、“１０”である場合を例に説明する。また、基地局特定部４０８は、特定した基地局２２（第２の基地局）の基地局ＩＤ（Ｂ２２）及び基地局２４（第３の基地局）の基地局ＩＤ（Ｂ２４）を端末特定部４０９へ通知する。なお、基地局特定部４０８は、算出した標準偏差が所定の値以上でない場合、リスト変更指示部４１０へ、通知する。
【００５０】
端末特定部４０９は、最も推定合計端末数の多い基地局２２と通信する端末の中で、最も少ない基地局２４へ通信先を変更可能な端末を特定する。具体的に、端末特定部４０９は、基地局特定部４０８からの通知を受けると、取得最適基地局テーブルＴ３を参照し、通知を受けた基地局２２（第２の基地局）の基地局ＩＤ（Ｂ２２）を２番目に良好な基地局ＩＤとし、かつ基地局２４（第３の基地局）の基地局ＩＤ（Ｂ２４）を３番目に良好な基地局ＩＤとして記憶されている端末ＩＤがあるか否かを判定する。また、端末特定部４０９は、かかる端末ＩＤがあると判定した場合、当該端末ＩＤを一つ特定する。
【００５１】
ここで、本実施形態では、端末特定部４０９が、端末１０ａを特定する場合を例に説明する。そして、端末特定部４０９は、例えば、端末１０ａを特定した場合、当該端末１０ａの端末ＩＤ（ＵＥ１０ａ）と、端末１０ａに割り当てられているＩＰアドレスと、３番目に良好な基地局ＩＤとして記憶されている基地局ＩＤ（Ｂ２４）とを関連付けて、最適基地局変更テーブルＴ５へ記憶する。また、端末特定部４０９は、基地局テーブルＴ４において、基地局２２（第２の基地局）の基地局ＩＤ（Ｂ２２）に関連付けて記憶されている推定端末数“４０”から一つ減算すると共に、基地局２４（第３の基地局）の基地局ＩＤ（Ｂ２４）に関連付けて記憶されている推定端末数“１０”に一つ加算して記憶する。
【００５２】
また、端末特定部４０９は、最適基地局変更テーブルＴ５への記憶が完了すると、端末数推定部４０７へ、記憶が完了したことを通知する。なお、端末特定部４０９は、基地局２２の基地局ＩＤ（Ｂ２２）を２番目とし、かつ基地局２４の基地局ＩＤ（Ｂ２４）を３番目に通信品質の良好な基地局ＩＤとして記憶されている端末ＩＤがないと判定した場合、リスト変更指示部４１０へ通知する。
【００５３】
リスト変更指示部４１０は、基地局２１（第１の基地局）を停止した際に基地局２２（第２の基地局）と通信を行うことが推定される端末に対して、基地局２２乃至２４（他の基地局）の中で、最も端末数が少ない基地局２４（第３の基地局）へ通信先を変更させる指示を通知する。具体的に、リスト変更指示部４１０は、基地局特定部４０８又は端末特定部４０９からの通知を受けると、最適基地局変更テーブルＴ５を参照し、記憶されている端末ＩＤ毎に、当該端末ＩＤと関連付けられている基地局ＩＤを含むリスト変更指示情報を生成し、各リスト変更指示情報を端末ＩＤに対応する端末１０ａ乃至１０ｃに送信する。また、この時、リスト変更指示部４１０は、かかるリスト変更指示情報を、所定の期間に関する情報を含んで生成し、第２の基地局と通信を行うことが推定される端末１０ａ乃至１０ｃに対して、第３の基地局へ通信先を変更させる所定の期間Δｔを通知する。
【００５４】
（無線通信システムの動作）
次に、上述した無線通信システム１の動作について説明する。具体的には、（１）端末１０ａ乃至１０ｃとアクセスサーバ３０との間において、セッションを確立するセッション確立処理、（２）管理サーバ４０が、基地局２１乃至２４において、通信している端末の端末数を取得して記憶する基地局テーブル更新処理、（３）端末１０ａ乃至１０ｃの基地局リストを変更する基地局リスト変更処理、（４）基地局リスト変更処理における基地局及び端末の特定動作、について説明する。
【００５５】
（１）セッション確立処理
図８のシーケンス図を参照し、起動を開始した端末１０ａとアクセスサーバ３０との間で行われるセッション確立処理の動作を説明する。
【００５６】
ステップＳ１００において、端末１０ａは、基地局２１乃至２４の無線範囲Ｃ１乃至Ｃ４内に送信される無線信号を受信すると共に、例えば、ＲＳＳＩ（Received Signal  Strength Indicator）等の受信レベルを測定し、当該測定結果に基づいて、自機器の最適基地局リストＴ２に、通信可能な基地局の基地局ＩＤを通信品質の良好な順に記憶する。
そして、端末１０ａは、複数の基地局２１乃至２４の中から、自端末において通信品質の最も良好な基地局である基地局２１を選択する。
【００５７】
ステップＳ１０１において、端末１０ａは、選択した基地局２１を通信先とし、当該基地局２１及びネットワーク２を介して、アクセスサーバ３０へ、セッション要求情報を送信する。
【００５８】
ステップＳ１０２において、アクセスサーバ３０は、端末１０ａから送信されたセッション要求情報を受信した場合、送信元の端末１０ａにＩＰアドレスを割り当てると共に、当該端末１０ａを識別する端末ＩＤと、割り当てたＩＰアドレスと、当該端末と無線通信している基地局２１を識別する基地局ＩＤ（Ｂ２１）と、当該基地局２１に割り当てられているＩＰアドレスとを関連付けて、セッションテーブルＴ１へ記憶する。
また、アクセスサーバ３０は、割り当てたＩＰアドレスを、端末１０ａへ通知する。
上述したセッション確立処理は、端末１０ｂ及び１０ｃとアクセスサーバ３０との間においても実施される。
【００５９】
（２）基地局テーブル更新処理
図８のシーケンス図を参照し、管理サーバ４０と基地局２１乃至２４との間で行われる基地局テーブル更新処理の動作を説明する。
【００６０】
ステップＳ１１０において、管理サーバ４０の制御部４０５は、所定の周期で、通信部４０１及びネットワーク２を介して、基地局２１乃至２４へ端末数要求情報を送信する。      
【００６１】
また、基地局２１乃至２４は、端末数要求情報を受信すると、当該管理サーバ４０に対して、自機器が通信している端末数を含む端末数応答情報を送信する。
【００６２】
ステップＳ１１１において、管理サーバ４０の制御部４０５は、通信部４０１において、端末数応答情報が受信されると、当該端末数応答情報を送信した基地局の基地局ＩＤと、端末数応答情報に含まれる端末数とを関連付けて、基地局テーブルＴ４に記憶する。ここで、本実施形態では、図６の基地局テーブルＴ４に示すように、基地局２１の通信端末数が５６、基地局２２の通信端末数が“６１”、基地局２３の通信端末数が“６５”、基地局２４の通信端末数が“５７”で、安定している場合を例に説明する。また、本実施形態において、端末１０ａ乃至１０ｃは、基地局２１が通信している端末の端末数に含まれている。なお、上述した基地局テーブル更新処理は、上述した所定の周期（例えば、５分）で実施され、基地局テーブルＴ４は更新される。
【００６３】
（３）基地局リスト変更処理
図９のシーケンス図を参照し、本実施形態に係る無線通信システム１の基地局リスト更新処理について説明する。
【００６４】
ステップＳ１２０において、管理サーバ４０の端末情報取得部４０６には、無線通信を停止する基地局２１の基地局ＩＤ（Ｂ２１）が通知される。
ここで、上述した無線通信を停止する基地局の基地局ＩＤの通知は、ネットワーク２を介して、外部機器（図示せず）から通知しても良いし、管理者が、管理サーバ４０に備えられている入力装置（図示せず）の入力操作により、通知しても良い。
【００６５】
ステップＳ１２１において、管理サーバ４０の端末情報取得部４０６は、通知された基地局ＩＤ（Ｂ２１）を含む端末アドレス要求情報を、通信部４０１及びネットワーク２を介して、アクセスサーバ３０へ送信する。また、アクセスサーバ３０は、端末アドレス要求情報を受信し、セッションテーブルＴ１を参照して、当該端末アドレス要求情報に含まれる基地局ＩＤ（Ｂ２１）に対応する基地局２１と特定すると共に、当該基地局２１が通信している全ての端末に割り当てられているＩＰアドレスを含む端末アドレス応答情報を生成し、管理サーバ４０へ送信する。
【００６６】
ステップＳ１２２において、管理サーバ４０の端末情報取得部４０６は、通信部４０１において、端末アドレス応答情報を受信すると、当該端末アドレス応答情報に含まれるＩＰアドレスに対応する端末に対して、リスト要求情報を送信する。
また、リスト要求情報の送信先の一つである端末１０ａは、当該リスト要求情報を受信すると、自機器の最適基地局リストＴ２に記憶している基地局ＩＤと、当該基地局ＩＤの順番とを含むリスト応答情報を生成し、当該リスト応答情報を管理サーバ４０へ送信する。
【００６７】
ステップＳ１２３において、管理サーバ４０は、リスト応答情報を受信すると、当該リスト応答情報を送信した端末の端末ＩＤと、当該端末のＩＰアドレスと、当該リスト応答情報に含まれる最適基地局リストＴ２の基地局ＩＤとを関連付けて、取得最適基地局テーブルＴ３に記憶する。また、管理サーバ４０は、取得最適基地局テーブルＴ３を参照し、基地局２１が停止した際に、最も推定端末数の多い基地局２２と、最も少ない基地局２４とを特定すると共に、最適基地局リストＴ２を変更する端末（例えば、端末１０ａ乃至１０ｃ）を特定し、最適基地局変更テーブルＴ５に記憶する。
【００６８】
ステップＳ１２４において、管理サーバ４０のリスト変更指示部４１０は、最適基地局変更テーブルＴ５を参照し、記憶されている端末ＩＤ毎に、当該端末ＩＤと関連付けられている基地局ＩＤと、予め定められた所定の期間を示す情報とを含むリスト変更指示情報を生成し、生成した各リスト変更指示情報を端末ＩＤに対応する端末（例えば、端末１０ａ乃至１０ｃ）に送信する。
【００６９】
ここで、リスト変更指示部４１０は、例えば、端末１０ａに対して、基地局ＩＤ（Ｂ２４）と、所定の期間Δｔとを含むリスト変更指示情報を送信する。
【００７０】
ステップＳ１２５において、端末１０ａは、リスト変更指示情報を受信すると、最適基地局リストＴ２に記憶する基地局ＩＤを、当該リスト変更指示情報に含まれる基地局ＩＤ（Ｂ２４）のみに変更する。
【００７１】
ステップＳ１２６において、端末１０ａは、変更した最適基地局リストＴ２の基地局ＩＤ（Ｂ２４）に対応する基地局２４を介して、アクセスサーバ３０との間で通信する。
【００７２】
ステップＳ１２７において、管理サーバ４０は、基地局２１との間で通信し、基地局２１から送信される無線信号を停止すると共に、当該基地局２１におけるソフトウエアのバージョンアップを行う。そして、管理サーバ４０は、かかるバージョンアップが完了すると、基地局２１から無線信号の送信を開始させる。
【００７３】
ステップＳ１２８において、端末１０ａは、ステップＳ１２５における最適基地局リストＴ２を変更後、所定の期間が経過すると、リスト変更指示情報を受信する前に通信していた基地局２１との間で通信を開始すると共に、無線信号の受信レベルを再度測定し、当該測定結果に基づいて、当該最適基地局リストＴ２へ、通信品質の良好な順に通信可能な基地局２１乃至２４の基地局ＩＤを記憶する。以降、ステップＳ１２９乃至ステップＳ１３０の動作は、図８に示すステップＳ１０１及びステップＳ１０２の動作と同様であるため、説明を省略する。
【００７４】
（４）基地局リスト変更処理における基地局及び端末の特定動作
図１０を参照し、ステップＳ１２３における管理サーバ４０の動作について、具体的に説明する。
【００７５】
ステップＳ１２３１において、端末数推定部４０７は、端末情報取得部４０６から、取得最適基地局テーブルＴ３への記憶が完了した旨の通知を受けると、当該取得最適基地局テーブルＴ３において、通信品質の良好な順番が２番目の基地局ＩＤの数を、基地局ＩＤ毎にカウントする。そして、端末数推定部４０７は、カウントした基地局ＩＤの数を推定端末数とし、基地局ＩＤと、当該基地局ＩＤ毎の推定端末数と、通信端末数と推定端末数との合計である推定合計端末数とを関連付けて基地局テーブルＴ４に記憶する。ここで、本実施形態では、図６に示すように、基地局２２の推定端末数が“４０”、基地局２３の推定端末数が“６”、基地局２４の推定端末数が“１０”である場合を例に説明する。
【００７６】
そして、端末数推定部４０７は、基地局２２の推定合計端末数“１０１”、基地局２３の推定合計端末数“７１”、基地局２４の推定合計端末数“６７”とを、基地局テーブルＴ４に記憶する。また、端末数推定部４０７は、基地局テーブルＴ４への記憶が完了すると、基地局特定部４０８へ、記憶が完了したことを通知する。
【００７７】
ステップＳ１２３２において、基地局特定部４０８は、基地局テーブルＴ４を参照し、基地局２２乃至２４（他の基地局）における推定合計端末数の標準偏差を算出する。
【００７８】
ステップＳ１２３３において、基地局特定部４０８は、算出した標準偏差が所定の値以上か否かを判定する。ここで、基地局特定部４０８は、算出した標準偏差が所定の値以上である場合、ステップＳ１２３４の動作を行い、標準偏差が所定の値以上でない場合、リスト変更指示部４１０へ通知して、動作を終了する。なお、本実施形態では、基地局２２の推定合計端末数“１０１”、基地局２３の推定合計端末数“７１”、基地局２４の推定合計端末数“６７”における標準偏差が、“１８．６”であり１０以上である場合を例に説明する。
【００７９】
ステップＳ１２３４において、基地局特定部４０８は、算出した標準偏差が所定の値以上である場合、基地局２２乃至２４（他の基地局）の中で、推定合計端末数が最も多い第２の基地局の基地局ＩＤ（Ｂ２２）を特定する。続いて、基地局特定部４０８は、基地局テーブルＴ４を参照し、基地局２２乃至２４（他の基地局）の中で、推定合計端末数が最も少ない第３の基地局の基地局ＩＤ（Ｂ２４）を特定する。また、基地局特定部４０８は、特定した基地局２２（第２の基地局）の基地局ＩＤ（Ｂ２２）及び基地局２４（第３の基地局）の基地局ＩＤ（Ｂ２４）を、端末特定部４０９へ通知する。
【００８０】
ステップＳ１２３５において、端末特定部４０９は、基地局特定部４０８からの通知を受けると、取得最適基地局テーブルＴ３を参照し、通知を受けた基地局２２（第２の基地局）の基地局ＩＤ（Ｂ２２）を２番目に良好な基地局ＩＤであり、かつ基地局２４（第３の基地局）の基地局ＩＤ（Ｂ２４）を３番目に良好な基地局ＩＤである端末ＩＤが記憶されているか否かを判定する。なお、端末特定部４０９は、通知を受けた基地局２２（第２の基地局）の基地局ＩＤ（Ｂ２２）を２番目に良好な基地局ＩＤとし、かつ基地局２４（第３の基地局）の基地局ＩＤ（Ｂ２４）を３番目又は４番目に良好な基地局ＩＤとして記憶されている端末ＩＤが記憶されているか否かを判定してもよい。また、端末特定部４０９は、かかる端末ＩＤがあると判定した場合、ステップＳ１２３６の動作を行い、かかる端末ＩＤが無いと判定した場合、リスト変更指示部４１０へ通知して動作を終了する。
【００８１】
ステップＳ１２３６において、端末特定部４０９は、例えば、端末１０ａを特定した場合、当該端末１０ａの端末ＩＤ（ＵＥ１０ａ）と、端末１０ａに割り当てられているＩＰアドレスと、３番目に良好な基地局ＩＤとして記憶されている基地局ＩＤ（Ｂ２４）とを関連付けて、最適基地局変更テーブルＴ５へ記憶する。また、端末特定部４０９は、基地局テーブルＴ４において、基地局２２（第２の基地局）の基地局ＩＤ（Ｂ２２）に関連付けて記憶されている推定端末数“４０”から一を減算すると共に、基地局２４（第３の基地局）の基地局ＩＤ（Ｂ２４）に関連付けて記憶されている推定端末数“１０”に一を加算して記憶する。また、端末特定部４０９は、最適基地局変更テーブルＴ５への記憶が完了すると、端末数推定部４０７へ、記憶が完了したことを通知する。
【００８２】
上述したステップＳ１２３１乃至ステップＳ１２３６の動作を繰り返し、最も推定端末数の多い基地局と、最も推定端末数の少ない基地局とを特定すると共に、最も推定端末数が多い基地局から、最も少ない基地局へ通信先を変更させる端末を特定していく。
【００８３】
（作用・効果）
本実施形態に係る無線通信システム１によれば、管理サーバ４０において、基地局２１（第１の基地局）の無線通信を停止する際に、基地局２１（第１の基地局）と通信している一つ又は複数の端末１０ａ乃至１０ｃが、通信先として変更する基地局２２乃至２４（他の基地局）と通信する端末数を推定する。また、管理サーバ４０は、推定した端末数の最も多い基地局２２（第２の基地局）を特定するとともに、基地局２２と通信することが推定される端末１０ａに対して、基地局２２よりも端末数が少なくなることが推定される基地局２４（第３の基地局）へ通信先を変更させる。
【００８４】
従って、基地局２１を一時的に停止する場合、当該基地局２１と無線範囲が隣接する基地局２２乃至２４の中で、基地局２２と通信する端末が急増することを低減し、当該基地局２２の処理負荷が急増することを低減することができる。
【００８５】
また、かかる無線通信システム１によれば、管理サーバ４０は、端末１０ａ乃至１０ｃにおいて、通信可能な基地局として記憶されている最適基地局リストに基づいて、通信先を決定する。よって、端末１０ａ乃至１０ｃの無線通信における通信品質を、大きく低減することなく、基地局２１乃至２４における処理負荷を低減することができる。
【００８６】
また、かかる無線通信システム１によれば、推定した基地局２２乃至２４における端末数の標準偏差が所定の値以上である場合、つまり、端末数に所定の値未満の場合には基地局を特定せず、所定の値以上のばらつきが生じた場合のみ、基地局２２と通信する端末１０ａの通信先を基地局２４へ変更する。また、かかる無線通信システム１によれば、端末は、基地局２１が停止する所定の期間内のみ、基地局２４へ通信先を変更する。従って、端末は、所定の期間が経過後、自動的に、複数の基地局２１乃至２４から、通信品質の最も良好な基地局を選択して通信させることが出来る。
【００８７】
（変更例）
なお、管理サーバ４０のリスト変更指示部４１０は、端末１０ａに対して送信するリスト変更指示情報に、所定の期間に関する情報を含まず、ソフトウエアバージョンアップが完了した際、当該バージョンアップが完了したことを端末１０ａに通知してもよい。また、端末１０ａは、かかる通知を受けた場合、リスト変更指示情報を受信する前に通信していた基地局２１との間で、再び通信を開始すると共に、無線信号の受信レベルを再度測定し、当該測定結果に基づいて、当該最適基地局リストＴ２へ、通信品質の良好な順に通信可能な基地局２１乃至２４の基地局ＩＤを記憶する。かかる変更例によれば、ソフトウエアのバージョンアップにおける作業時間が、予め定められている所定の期間よりも長くなった場合、又は、短くなった場合であっても、適切に対応できると共に、端末１０ａに対して、より早く、最も通信品質の良好な基地局との間で通信させることが出来る。
【００８８】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００８９】
例えば、端末情報取得部４０６と、端末数推定部４０７と、基地局特定部４０８と、端末特定部４０９と、リスト変更指示部４１０との各機能は、管理サーバ４０以外の装置に配置してもよい。例えば、これらの機能を、アクセスサーバ３０に配置することも可能である。つまり、本発明は、無線通信システム１に具備される様々な装置で適用することが可能である。
【００９０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９１】
【図１】本発明の実施形態に係る無線通信システムの全体概略構成を示すイメージ図である。
【図２】本発明の実施形態に係るセッションテーブルを示す図である。
【図３】（ａ）本発明の実施形態に係る端末１０ａに備えられている最適基地局リストを示す図である。（ｂ）本発明の実施形態に係る端末１０ｂに備えられている最適基地局リストを示す図である。（ｃ）本発明の実施形態に係る端末１０ｃに備えられている最適基地局リストを示す図である。
【図４】本発明の実施形態に係る管理サーバの機能ブロック図である。
【図５】本発明の実施形態に係る取得最適基地局テーブルを示す図である。
【図６】本発明の実施形態に係る基地局テーブルを示す図である。
【図７】本発明の実施形態に係る最適基地局変更テーブルを示す図である。
【図８】本発明の実施形態に係る無線通信システムの動作を示すシーケンス図である。
【図９】本発明の実施形態に係る無線通信システムの動作を示すシーケンス図である。
【図１０】本発明の実施形態に係る無線通信システムの動作を示すフローチャートである。
【図１１】従来技術に係る無線通信システムの全体概略構成を示すイメージ図である。
【図１２】従来技術に係る無線通信システムの全体概略構成を示すイメージ図である。
【符号の説明】
【００９２】
１…無線通信システム、２…ネットワーク、Δｔ…期間、Ｃ１乃至Ｃ４…無線範囲、Ｓ１００乃至Ｓ１１１…ステップ、Ｓ１２０乃至Ｓ１３０…ステップ、Ｓ１２３１乃至Ｓ１２３６…ステップ、Ｔ１…セッションテーブル、Ｔ２…最適基地局リスト、Ｔ３…取得最適基地局テーブル、Ｔ４…基地局テーブル、Ｔ５…最適基地局変更テーブル、１０ａ乃至１０ｃ…端末、ＵＥ１０ａ〜ＵＥ１０ｃ…端末ＩＤ、２１乃至２４…基地局、３０…アクセスサーバ、４０…管理サーバ、４０１…通信部、４０２…取得最適地局テーブル記憶部、４０３…基地局テーブル記憶部、４０４…最適基地局変更テーブル記憶部、４０５…制御部、４０６…端末情報取得部、４０７…端末数推定部、４０８…基地局特定部、４０９…端末特定部、４１０…リスト変更指示部
【図１】
0004699944.tif 000002
【図２】
0004699944.tif 000003
【図３】
0004699944.tif 000004
【図４】
0004699944.tif 000005
【図５】
0004699944.tif 000006
【図６】
0004699944.tif 000007
【図７】
0004699944.tif 000008
【図８】
0004699944.tif 000009
【図９】
0004699944.tif 000010
【図１０】
0004699944.tif 000011
【図１１】
0004699944.tif 000012
【図１２】
0004699944.tif 000013